(57)【要約】【課題】  パンチケース自体にくさび状矢板を一体的に設けることで、パンチのラムへの取付けがワンタッチで簡単迅速に行えるようにしたこと。【解決手段】  パンチケース７の先端部にパンチ挿入孔７ａを形成して、挿入孔７ａにパンチ６を挿入すると共に、パンチケース７の後端部に、ラム５側への取付部７ｂを形成する。パンチケース７の中間部に、パンチ挿入孔７ａに連通する上下方向の収容孔７ｃを形成し、収容孔７ｃにパンチ６の後端部が当接されるくさび状の矢板１２を上下方向に移動可能に収容すると共に、矢板１２を上下移動させる上下移動調整手段１３を設け、該調整手段１３により矢板１２を収容孔７ｃの壁面に沿って上下動させることにより、パンチ６を前後に移動調整する一方、パンチケース７の先端部にパンチ６の前後方向への移動をロック又はロック解除するロック手段１４を設けた。【選択図】図２
0003124151.tif 000002
【実用新案登録請求の範囲】
【請求項１】
機台に設けられたダイと、該ダイに対向するようにラムの前面にパンチケースを介して取付けられたパンチとの間で素材を圧造加工することにより所定形状の製品を成形する圧造成形機におけるパンチ取付装置であって、上記パンチケースには、その先端部にパンチ挿入孔が形成され、該挿入孔にパンチが挿入されると共に、パンチケースの後端部には、ラム側への取付部が形成されている一方、このパンチケースの中間部に、上記パンチ挿入孔に連通する上下方向の収容孔が形成され、この収容孔にパンチの後端部が当接されるくさび状の矢板が上下方向に移動可能に収容されると共に、該矢板を上下移動させる上下移動調整手段が設けられ、該調整手段により該矢板が収容孔の壁面に沿って上下動されることにより、上記パンチが前後に移動調整される一方、パンチケースの先端部にパンチの前後方向への移動をロック又はロック解除するロック手段が設けられていることを特徴とする圧造成形機におけるパンチ取付装置。
【請求項２】
パンチケースをラム側に対しパンチの軸芯方向と直交する平面上で上下方向ならびに左右方向に調整可能とした取付手段により取付ける一方、パンチケース内にパンチの芯振れ検知ガイドを設けると共に、上記ラム側の前面中央部に、上記検知ガイドに嵌合するように突設されて上記検知ガイドの上下及び左右への動きを検知してパンチの基準取付位置に対する該パンチの軸芯方向と直交する方向への変位量を検出ヘッドを突設し、かつ、検出ヘッドにより検出された変位量を表示する表示手段を備えていることを特徴とする請求項１に記載の圧造成形機におけるパンチ取付装置。
【請求項３】
ロック手段はパンチケースの先端部に、パンチ側の圧接部に圧接又は圧接解除する偏心圧接部をもつ揺動レバーが揺動可能に軸支され、常時は該レバーを偏心圧接部がパンチ側の圧接部に圧接するように付勢する付勢部材を設け、レバーを付勢部材に抗して揺動させるだけのワンタッチ操作で偏心圧接部のパンチ側圧接部への圧接を解除するようにしたことを特徴とする請求項１に記載の圧造成形機におけるパンチ取付装置。
【請求項４】
矢板における受圧部分に圧造時に作用する荷重を計測する荷重センサーが内蔵されていることを特徴とする請求項１に記載の圧造成形機におけるパンチ取付装置。
【考案の詳細な説明】
【技術分野】
【０００１】  本考案は、機台に設けられたダイと、該ダイに対向するようにラムの前面にパンチケースを介して取付けられたパンチとの間で素材を圧造加工することにより所定形状の製品を成形する圧造成形機におけるパンチ取付装置に関する。
【背景技術】
【０００２】  従来、この種の圧造成形機におけるパンチ取付装置としては、例えば図６に示したように、ラム４１の前面にパンチブロック４２及び前板４３を固定すると共に、前板４３前面にパンチケース４４が取付けられ、パンチケース４４のパンチ挿入孔４４ａにパンチ４５が挿入される一方、パンチ４５の後端がスペーサ４６を介してパンチブロック４２に上下動可能に設けられたくざび状の矢板４７に支持されると共に、パンチケース４４の先端部にパンチ４５の前後方向への移動を固定する固定ボルト４８を備えた構造となっている。そして、パンチ４５が受ける荷重をスペーサ４６を介して矢板４７で受圧する一方、固定ボルト４８によるパンチ４５の固定を解除した状態で矢板４７をパンチブロック４２の壁面に沿って上下動させることによりパンチ４５をパンチケース４４に対し前後に移動調整できるようになされている。
【考案の開示】
【考案が解決しようとする課題】
【０００３】  ところが、上記したパンチ取付装置によれば、矢板４７がパンチケース４４とは別にラム４１に固定されるパンチブロック４２に設けられた構造であるため、パンチケース４４を前板４３前面に取付ける際に、パンチ４５をパンチケース４４に予めセットして置くことができないものであった。つまり、パンチケース４４を上記前板４３に取付けた後に、パンチケース４４のパンチ挿入孔４４ａにパンチ４５を挿入し、スペーサ４６を介して矢板４７に当接させた状態で矢板４７を上下移動させ、パンチ４５をパンチケース４４に対し前後に移動調整させなければならず、その調整が面倒で手間を要する問題があり、また、新たにパンチ４５と共にパンチケース４４を交換する際にも非常に面倒で手間を要する問題を有していた。【０００４】  そこで、本考案は、パンチケース自体にくさび状矢板を一体的に設けることで、予めパンチをパンチケースに突出長さを設定して先付けできるようにして、パンチケースをラム側に取付けるだけのワンタッチ作業でパンチをラム側に簡単迅速に取付けることができる圧造成形機におけるパンチ取付装置の提供を課題とする。
【課題を解決するための手段】
【０００５】  上記問題を解決するため本願の請求項１に記載の考案は、機台に設けられたダイと、該ダイに対向するようにラムの前面にパンチケースを介して取付けられたパンチとの間で素材を圧造加工することにより所定形状の製品を成形する圧造成形機におけるパンチの取付構造であって、上記パンチケースには、その先端部にパンチ挿入孔が形成され、該挿入孔にパンチが挿入されると共に、パンチケースの後端部には、ラム側への取付部が形成されている一方、このパンチケースの中間部に、上記パンチ挿入孔に連通する上下方向の収容孔が形成され、この収容孔にパンチの後端部が当接されるくさび状の矢板が上下方向に移動可能に収容されると共に、該矢板を上下移動させる上下移動調整手段が設けられ、該調整手段により該矢板が収容孔の壁面に沿って上下動されることにより、上記パンチが前後に移動調整される一方、パンチケースの先端部にパンチの前後方向への移動をロック又はロック解除するロック手段が設けられていることを特徴とする。【０００６】  また、本願の請求項２に記載の考案は、請求項１に記載の構成に加えて、パンチケースをラム側に対しパンチの軸芯方向と直交する平面上で上下方向ならびに左右方向に調整可能とした取付手段により取付ける一方、パンチケース内にパンチの芯振れ検知ガイドを設けると共に、上記ラム側の前面中央部に、上記検知ガイドに嵌合するように突設されて上記検知ガイドの上下及び左右への動きを検知してパンチの基凖取付位置に対する該パンチの軸芯方向と直交する方向への変位量を検出ヘッドを突設し、かつ、検出ヘッドにより検出された変位量を表示する表示手段を備えていることを特徴とする。【０００７】  また、本願の請求項３に記載の考案は、請求項１に記載の構成に加えて、ロック手段はパンチケースの先端部に、パンチ側の圧接部に圧接又は圧接解除する偏心圧接部をもつ揺動レバーが揺動可能に軸支され、常時は該レバーを偏心圧接部がパンチ側の圧接部に圧接するように付勢する付勢部材を設け、レバーを付勢部材に抗して揺動させるだけのワンタッチ操作で偏心圧接部のパンチ側圧接部への圧接を解除するようにしたことを特徴とする。【０００８】  さらに、本願の請求項３に記載の考案は、請求項１に記載の構成に加えて、矢板における受圧部分に圧造時に作用する荷重を計測する荷重センサーが内蔵されていることを特徴とする。
【考案の効果】
【０００９】  本考案によれば、パンチケースに矢板を一体的に設けることにより、予めパンチをパンチケースにその突出量を矢板にて調整してセットした状態でパンチケースをラム側に取付けることができ、これによりワンタッチでパンチをラム側に取付けることができる。【００１０】  また、パンチケースをラム側に対しパンチの軸芯方向と直交する平面上で上下方向ならびに左右方向に調整可能とした取付手段により取付ける一方、パンチケース内にパンチの芯振れ検知ガイドを設けると共に、上記ラム側の前面中央部に、上記検知ガイドに嵌合するように突設されて上記検知ガイドの上下及び左右への動きを検知してパンチの基準取付位置に対する該パンチの軸芯方向と直交する方向への変位量を検出検出ヘッドを突設し、かつ、検出ヘッドにより検出された変位量を表示する表示手段を備えるようにすれば、表示手段で芯振れが表示されたとき、矢板を一体的に設けたパンチケースを、パンチや矢板との固定関係を解除することなくラム側に対し表示された芯振れ量だけ上下ならびに左右方向に調整することにより簡単容易に芯出し調整が行える。【００１１】  また、ロック手段として、パンチケースの先端部に、パンチ側の圧接部に圧接又は圧接解除する偏心圧接部をもつ揺動レバーが揺動可能に軸支され、常時は該レバーを偏心圧接部がパンチ側の圧接部に圧接するように付勢する付勢部材を設けるようにすれば、レバーを付勢部材に抗して揺動させるだけのワンタッチ操作で偏心圧接部のパンチ側圧接部への圧接を解除することができ、パンチのパンチホルダーに対する移動を許し、また、レバーから手を離すだけのワンタッチ操作で、付勢部材により偏心圧接部がパンチ側の圧接部に圧接するようにレバーが揺動されてパンチをパンチケースにロックすることができる。【００１２】  また、矢板における受圧部分に、圧造時に作用する荷重を計測する荷重センサーを内蔵するようにすれば、圧造時の過荷重は勿論、ピッチングや金型の微妙な軽荷重を探知して、工具の微妙な劣化を探知することができ、圧造成形機を緊急停止させたり、工具の交換時期を知らせることができる。
【考案を実施するための最良の形態】
【００１３】
【００１４】  以下、本考案の実施の形態を図に基づいて説明する。
図１は、本考案のパンチ取付装置を備えた圧造成形機の概略平面図を示し、この圧造成形機１には、機台フレーム２の所定位置に固設されたダイブロック３に複数のダイ４…４が備えられていると共に、このダイブロック３に対向して前進、後退するラム５が備えられており、該ラム５の前面には、ダイ４…４と同数のパンチ６…６がそれぞれパンチケース７…７に嵌合固定された上で、これらのパンチケース７…７が取付けられた前板８を介して対向配置されている。この場合、上記ダイ４…４とパンチ６…６とにより複数の圧造ステーションが構成されており、ダイ４…４に対するパンチ６…６の進退動と図示しない移送状態による各圧造ステーション間の素材移送とに伴ってダイ４…４とパンチ６…６との間で実行される圧造成形によって、供給された素材は段階的に製品へと成形されるようになっている。なお、図に示す実施の形態ではパンチ６の外周にパンチ外管６ａを設けた構成としている。【００１５】  そして、各ダイ４…４に対向して配置されるパンチ６…６側では、図２に示すようにラム５の前部にパンチ取付装置１０がそれぞれ設けられる。このパンチ取付装置１０は、ラム５の前部に設けられた前板８に、パンチケース７が取付けられ、このパンチケース７には、その先端部にパンチ挿入孔７ａが形成され、該挿入孔７ａにパンチ６が挿入されると共に、パンチケース７の後端部には、前板８への取付部７ｂが形成されている一方、このパンチケース７の中間部に、上記パンチ挿入孔７ａに連通する上下方向の収容孔７ｃが形成され、この収容孔７ｃにパンチ６の後端部が当接されるくさび状の矢板１２が上下方向に移動可能に収容されると共に、該矢板１２を上下移動させる上下移動調整手段１３が設けられている。この調整手段１３により該矢板１２が収容孔７ｃの壁面に沿って上下動されることにより、上記パンチ６が前後に移動調整される。また、パンチケース７の先端部にパンチ６の前後方向への移動をロック又はロック解除するロック手段１４が設けられている。また、図中符号１１は矢板のくさび面に対応する傾斜面を有する受圧部材である。【００１６】  又パンチケース７の前板８への取付けは図２及び図３に示すように、下側の支点ボルト１５と上側の固定ボルト１６，１７とにより固定されている。その場合、パンチケース７は上側の固定ボルト１６，１７に対して上下方向及び左右方向に若干移動可能とされている一方、下側の支点ボルト１５に対して上下方向に若干移動可能とされている。【００１７】  また、各パンチケース７と前板８とにわたって、前板８に対するパンチケース７、つまりパンチ６の上下方向及び左右方向の取付位置を調整する周知の上下左右位置調整機構１８が備えられている。上下左右調整機構１８には、前板８の上下方向の中間よりの位置に固定されて先端がパンチケース７に設けられた孔７ｄに突入するピン１９と、上端部が前板の前面上部のフランジ部８ａに支持されると共に下端部がパンチケース７の上部に固定された螺子軸２１と、パンチケース７の上部左右側面に螺合して先端が上記ピン１９の左右側面に当接する左右一対の調整螺子２２，２３が備えられている。これにより、螺子軸２１の回転操作によるパンチケース７の上下調整、及び左右の調整螺子２２，２３の回転操作によるパンチケース７の左右位置の調整が可能となっている。【００１８】  さらに、パンチケース７と前板８との間にはパンチ６の取付位置検出手段２４が内装状態で取付けられている。この取付位置検出手段２４は、図２及び図４に示すようにパンチケース７の後面における中間部位置に穴部７ｅを設け、この穴部１１ｅ内に上下位置検知片２５と左右位置検知片２６を備えたパンチ芯ブレ検知ガイド２７を設ける一方、上記ラム５の前面中央部に、上記検知ガイド２７に嵌合するように突設されて上記検知ガイド２７の上下及び左右の動きを検知してパンチ６の基準取付位置に対する該パンチ６の軸芯方向と直交する方向への変位量を検出する上下位置検出センサー２８と左右位置検出センサー２９を備えた検出ヘッド３０を突設し、かつ、検出ヘッド３０により検出ざれた変位量を表示するモニター３１を機外に備えている。その場合、図５に示すように検出ヘッド３０からの信号がコントローラ３２に入力され、これに基づいて該コントローラ３２からモニター３１に信号が出力され、これにより該モニター３１にパンチ６の左右及び上下の取付位置がデジタルやグラフなどで表示されるようになっている。また、上記上下位置検知片２５は、穴部の上部内面に、また左右位置検知片２６は穴部の一側部内面に設けている。【００１９】  また、上下移動調整手段１３は、パンチケース７の上面に回転調整螺子３３を回転自由に支持し、該調整螺子３３の下端螺子部３３ａを矢板１２の上部に螺合させ、回転調整螺子３３の回転により矢板１２を上下動させるようになされている。【００２０】  また、ロック手段１４は、パンチケース７の先端部に、パンチ外管６ａの圧接部に圧接又は圧接解除する偏心圧接部３４をもつ揺動レバー３５が揺動可能に軸支され、常時は該レバー３５を偏心圧接部３４がパンチ外管６ａの圧接部に圧接するように付勢するばね３６と押しピン３７を設け、揺動レバー３５をばね３６に抗して揺動させるだけのワンタッチ操作で偏心圧接部３４のパンチ外管６ａの圧接部への圧接を解除するようになされている。【００２１】  さらに、矢板１２における受圧部分には、圧造時に作用する荷重を計測する荷重センサー３７が内蔵され、圧造時の過荷重は勿論、ピッチングや金型の微妙な軽荷重を探知して、工具の微妙な劣化を探知することができるようになっている。【００２２】  以上のように構成したパンチ取付装置の作用について説明する。
まず、パンチケース７自体にくさび状矢板１２が一体的に設けられているので、予めパンチ６をパンチケース７のパンチ挿入孔７ａに挿入し、その後端部を上記矢板１２に当接させてその矢板１２を回転調整螺子３３により上下動させて、パンチ６のパンチケース７からの突出長さを設定し、その設定位置でロック手段１４により固定して先付けして置く。そして、ラム５にパンチ６を取付ける際には、パンチケース７をラム側の前板８に取付けるだけのワンタッチ作業でパンチ６をラム側に簡単迅速に取付けることができる。【００２３】  また、ロック手段１４として、パンチケース７の先端部に、パンチ外管６ａの圧接部に圧接又は圧接解除する偏心圧接部３４をもつ揺動レバー３５が揺動可能に軸支され、常時は該レバー３５を偏心圧接部３４がパンチ側の圧接部に圧接するように付勢するばね３６を設けたから、揺動レバー３５をばね３６に抗して揺動させるだけのワンタッチ操作で偏心圧接部３４のパンチ外管６ａの圧接部への圧接を解除することができ、パンチ６のパンチケース７に対する移動を許し、また、揺動レバー３５から手を離すだけで、ばねにより偏心圧接部３４がパンチ外管６ａの圧接部に圧接するように揺動レバー３５が揺動されてパンチ６をパンチケース７にロックすることができる。【００２４】  次に、パンチ６の取付位置検出手段２４により、パンチ６の芯出し調整を行う場合について説明する。まず、圧造開始前にパンチ６の軸芯がダイ４の軸芯に一致するように螺子軸２１及び調整螺子２２，２３によりパンチケース７の位置を調整したのち、支点ボルト１５及び固定ボルト１６，１７が締め付けられてパンチケース７が固定される。そして、圧造を開始すると、パンチ６に取付けられた検知ガイド２７における上下位置検知片２５及び左右位置検知片２６の位置が検出ヘッド３０の上下及び左右位置検出センサー２８，２９により検出されることになる。この場合、検知ガイド２７及び検出ヘッド３０がパンチケース７内に内装されて取付けられているので、該パンチ６の変位量が常時正確に検出されることになり、その変位量がモニター３１で表示されることになって、上記パンチ６の軸芯位置を再調整する場合の補正量を正確に把握することが可能となる。そして、圧造成形機１を停止させて上記補正量に基づいてパンチ６の軸芯位置を再調整する場合、その再調整中のパンチ６の軸芯位置がモニター３１に連続して表示されることになり、これにより該モニター３１に表示されるパンチ６の軸芯位置が上記補正量を考慮した位置となるように調整することによりその再調整作業を簡単容易に、かつ精度よく行うことができる。しかも、パンチケース７自体にくさび状矢板１２が一体的に設けられているので、そのパンチケース７の位置調整に際し、ロック手段１４をわざわざ緩めてパンチ６のパンチケース７に対する固定を解除したりする必要がなくなり、これにより、パンチ６の芯出し調整もスムーズにかつ短時間で行うことができる。【００２５】  また、矢板１２における受圧部分に、圧造時に作用する荷重を計測する荷重センサー３７を内蔵しておくことにより、圧造時の過荷重の検出は勿論、ピッチングや金型の微妙な軽荷重を探知して、工具の微妙な劣化も探知することができ、圧造成形機を緊急停止させたり、工具の交換時期をさせることができる。
【図面の簡単な説明】
【００２６】
【図１】  本考案に係るパンチ取付装置が装備される圧造成形機の概略説明図である。
【図２】  同パンチ取付装置の要部の縦断側面図である。
【図３】  同パンチ取付装置の一部省略正面図である。
【図４】  同パンチ取付装置のパンチケース取り外し状態の説明図である。
【図５】  パンチの芯出し検出手段の表示システムを示すブロック図である。
【図６】  従来例の説明図である。
【符号の説明】
【００２７】  １        圧造成形機
５        ラム
７        パンチケース
７ａ      パンチ挿入孔
７ｃ      収容孔
１０      パンチ取付装置
１２      矢板
１８      上下左右調整機構
２７      パンチ芯振れ検知ガイド
３０      検知ヘッド
３１      モニター
３４      偏心圧接部
３５      揺動レバー
３６      ばね
３７      荷重センサー
【図１】
0003124151.tif 000003
【図２】
0003124151.tif 000004
【図３】
0003124151.tif 000005
【図４】
0003124151.tif 000006
【図５】
0003124151.tif 000007
【図６】
0003124151.tif 000008